(57)【要約】【課題】試料中に含まれるクレアチニンを精度良く定量することができるクレアチニン測定方法、クレアチニン測定デバイス、及びクレアチニン測定装置を提供する。【解決手段】（Ａ）クレアチニンを含む試料と、ｐＨ７、２５℃における酸化還元電位が、銀−塩化銀電極に対して３８０ｍＶよりも正であるオスミウム錯体を含むクレアチニン測定用試薬とを接触させることにより、前記試料中に含まれる前記クレアチニンと前記オスミウム錯体とが直接反応して、クレアチニンの酸化物が生成する工程、  （Ｂ）前記工程Ａにおける前記反応を電気化学的に測定する工程、並びに  （Ｃ）前記工程Ｂにおける測定値に基づき前記試料中に含まれる前記クレアチニンの濃度または量を求める工程を含む。【選択図】図１
2010008182.tif 000002
【特許請求の範囲】
【請求項１】
（Ａ）クレアチニンを含む試料と、ｐＨ７、２５℃における酸化還元電位が、銀−塩化銀電極に対して３８０ｍＶよりも正であるオスミウム錯体を含むクレアチニン測定用試薬とを接触させることにより、前記試料中に含まれる前記クレアチニンと、前記オスミウム錯体とが直接反応して、クレアチニンの酸化物が生成する工程、
（Ｂ）前記工程Ａにおける前記反応を電気化学的に測定する工程、並びに
（Ｃ）前記工程Ｂにおける測定値に基づき前記試料中に含まれる前記クレアチニンの濃度または量を求める工程を含むクレアチニン測定方法。
【請求項２】
前記工程Ｂにおいて、前記試料に少なくとも２つの電極を接触させ、
前記工程Ｂが、
（Ｄ）前記２つの電極間に電圧を印加する工程、及び
（Ｅ）前記２つの電極間に流れる電流の値または電荷量を検出する工程を含み、
前記工程Ｃにおいて、
前記工程Ｅにおいて検出された前記電流値または前記電荷量に基づいて前記試料中に含まれる前記クレアチニンの濃度または量を求める、請求項１記載のクレアチニン測定方法。
【請求項３】
試料として尿を用い、
請求項１に記載のクレアチニン測定方法の工程Ａ及びＢに加えて、
（Ｆ）前記尿と前記クレアチニン測定用試薬とが接触する前に、前記尿の電気特性を測定する工程、及び
（Ｇ）前記工程Ｂにおける測定値と、前記工程Ｆにおいて測定された前記電気特性とに基づいて、前記尿中への塩分の排泄量を反映する値を求める工程をさらに含む尿中塩分量測定方法。
【請求項４】
請求項１に記載のクレアチニン測定方法に用いられるクレアチニン測定デバイスであって、
クレアチニンを含む試料を収容するための試料収容室と、
前記試料収容室と連通し、前記試料収容室内に前記試料を導入するための試料導入口と、
前記試料収容室内に配置された少なくとも２つの電極と、
前記試料収容室内に配置された、ｐＨ７、２５℃における酸化還元電位が、銀−塩化銀電極に対して３８０ｍＶよりも正であるオスミウム錯体を含むクレアチニン測定用試薬とを備えるクレアチニン測定デバイス。
【請求項５】
請求項３に記載の尿中塩分量測定方法に用いられる尿中塩分量測定デバイスであって、
試料である尿を収容するための第１の試料収容室と、
前記第１の試料収容室と連通し、前記第１の試料収容室内に前記尿を導入するための第１の試料導入口と、
前記第１の試料収容室内に配置された少なくとも２つの電極と、
前記第１の試料収容室内に配置された、ｐＨ７、２５℃における酸化還元電位が、銀−塩化銀電極に対して３８０ｍＶよりも正であるオスミウム錯体を含むクレアチニン測定用試薬と、
前記尿を収容するための第２の試料収容室と、
前記第２の試料収容室と連通し、前記第２の試料収容室内に前記尿を導入するための第２の試料導入口と、
前記第２の試料収容室内に配置された少なくとも２つの電極とを備える尿中塩分量測定デバイス。
【請求項６】
請求項４に記載のクレアチニン測定デバイスを取付けるための測定デバイス取付け部、
前記測定デバイス取付け部に取付けられた前記クレアチニン測定デバイスの前記試料収容室内におけるクレアチニンと前記クレアチニン測定用試薬との反応を電気化学的に測定する測定部、及び
前記測定部における測定値に基づき前記試料中に含まれる前記クレアチニンの濃度または量を求める演算部を備えるクレアチニン測定装置。
【請求項７】
前記クレアチニン測定デバイスが、前記試料収容室内に配置された少なくとも２つの電極をさらに備え、
前記測定部が、
前記２つの電極間に電圧を印加する電圧印加部、及び
前記２つの電極間に流れる電流の値または電荷量を検出する検出部を有し、
前記演算部が、
前記検出部により検出された前記電流値または前記電荷量に基づいて前記試料中に含まれる前記クレアチニンの濃度または量を求める、請求項６に記載のクレアチニン測定装置。
【請求項８】
請求項５に記載の尿中塩分量測定デバイスを取付けるための測定デバイス取付け部、
前記測定デバイス取付け部に取付けられた前記尿中塩分量測定デバイスの前記第１の試料収容室内におけるクレアチニンと前記クレアチニン測定用試薬との反応を電気化学的に測定する第１の測定部、
前記測定デバイス取付け部に取付けられた前記尿中塩分量測定デバイスの前記第２の試料収容室内における前記尿の電気特性を測定する第２の測定部、及び
前記第１の測定部における測定値と前記第２の測定部により測定された前記電気特性とに基づき、前記尿中への塩分の排泄量を反映する値を求める演算部を備える尿中塩分量測定装置。
【発明の詳細な説明】
【技術分野】
【０００１】
本発明は、試料中に含まれるクレアチニンや塩分の定量を行うための測定方法、測定デバイス、及び測定装置に関する。
【背景技術】
【０００２】
試料中に含まれるクレアチニンの測定は臨床化学や分析化学の分野において重要である。クレアチニンは筋肉の内在代謝の産物であるため、尿中のクレアチニン量は総筋肉質量を反映することが知られている。したがって、人間が一日に排泄する尿中のクレアチニン量は一般に個人ごとに一定であり、日間変動が無いといわれている。そのため、尿中のクレアチニン量は排泄される尿の濃淡の尺度として用いられることがある。また、尿中及び血中のクレアチニン量は尿毒症や腎機能の低下によって増減するため、尿中または血中のクレアチニン量の測定により、尿毒症や腎機能の低下の有無を知ることができる。
【０００３】
クレアチニンの測定方法としては、アルカリ性のピクリン酸溶液を用いたヤッフェ（Ｊａｆｆｅ）反応に基づく方法が知られている。この方法においては、ピクリン酸がクレアチニンと反応することにより得られる橙赤色の生成物を分光学的に測定する（例えば、特許文献１参照）。
【０００４】
また、他のクレアチニン測定方法として、クレアチニンと特異的に反応をする酵素を用いた方法が知られている。酵素を用いる方法としては、例えば、クレアチニンデイミナーゼを用いてクレアチニンを分解することによりアンモニアを得て、そのアンモニア量をｐＨ変化などから測定することによってクレアチニンの濃度を得る方法がある（例えば、特許文献２参照）。
【０００５】
酵素を用いる他の方法として、下記の（化１）〜（化３）による反応によりクレアチニンを測定する方法がある。
【０００６】
【化１】
2010008182.tif 000003
【０００７】
【化２】
2010008182.tif 000004
【０００８】
【化３】
2010008182.tif 000005
【０００９】
（化１）〜（化３）の反応を触媒する酵素として、それぞれ順にクレアチニンアミドヒドロラーゼ（クレアチニナーゼ）、クレアチンアミジノヒドロラーゼ（クレアチナーゼ）、及びサルコシンオキシダーゼまたはサルコシンデヒドロゲナーゼが用いられる。ここでクレアチニンの定量方法としては、例えば、ペルオキシダーゼとともにロイコ色素やトリンダー（Ｔｒｉｎｄｅｒ）試薬を利用し、（化３）において生成した過酸化水素を呈色させて分光学的に定量する方法が用いられている（例えば、特許文献３参照）。また他のクレアチニン定量方法として、（化３）において生成した過酸化水素を電極で電気化学的に酸化し、流れる電流からクレアチニンを定量する方法が用いられている（例えば、特許文献４及び５参照）。
【００１０】
また、酵素を用いるさらに他の方法として、上記（化１）及び（化２）の反応に加えて、上記（化３）の反応に代えて、サルコシンと電子伝達体との反応を用いてクレアチニンを測定する方法が提案されている（例えば、特許文献６及び７参照）。特許文献６には、基板上に少なくとも一対の作用極及び対極を備えたセンサにおいて、クレアチニナーゼ、クレアチナーゼ、サルコシンオキシダーゼ及び電子伝達体をｐＨ７〜８．５の緩衝液中に溶解させた試薬溶液を、電極上または電極周辺の基板上で乾燥させることにより固定化したクレアチニンバイオセンサが開示されている。具体的には、電子伝達体をしてフェリシアン化カリウムを用い、緩衝液としてｐＨ６．８６のリン酸緩衝液を用いることが開示されている。また、緩衝液のｐＨがｐＨ７以下またはｐＨ８．５以上になると、酵素活性が低下するため好ましくないことが開示されている。特許文献７には、サルコシンオキシダーゼとともに、シクロデキストリンにより包摂されたメディエータを用い、比色法または電気化学的検出方法によりクレアチニンを測定することが開示されている。具体的には、シクロデキストリンにより包摂されるメディエータの例としてα−ナフトキノン（１，４−ナフトキノン）が挙げられている。しかし、特許文献７では、α−ナフトキノン、１−メトキシ−５−メチルフェナジニウムメチルサルフェート（Ｍ−ＰＭＳ）等のメディエータがシクロデキストリンに包摂されていない状態では、酵素を用いたクレアチニンの測定に不適切であることが開示されている。
【００１１】
また、酵素を用いるさらに他の方法として、上記（化１）及び（化２）の反応に加えて、上記（化３）の反応に代えて、サルコシンとテトラゾリウム指示薬との反応を用いて分光学的にクレアチニンを測定する方法が提案されている（例えば、特許文献８参照）。特許文献８には、クレアチニン測定用組成物として、クレアチニン加水分解酵素、クレアチンアミジノヒドロラーゼ、サルコシンデヒドロゲナーゼ、テトラゾリウム指示薬であるチアゾリルブルー及びｐＨ７．５のリン酸カリウムからなる混合試薬を用いることが開示されている。
【００１２】
また、酵素を用いるさらに他の方法として、クレアチニンアミドヒドロラーゼ、クレアチンアミジノヒドロラーゼ及びサルコシンデヒドロゲナーゼを用いてクレアチニンをグリシンとホルムアルデヒドとに変え、生成したホルムアルデヒドを呈色剤により発色させ、その吸光度によりクレアチニンを測定する方法が提案されている（例えば、特許文献９参照）。特許文献９には、クレアチニンアミドヒドロラーゼ、クレアチンアミジノヒドロラーゼ、サルコシンデヒドロゲナーゼ及び呈色剤に加えて、ｐＨ７．５のリン酸緩衝液と、ホルムアルデヒドの生成を促す反応促進剤としてフェリシアン化カリウムとを用いることが開示されている。
【００１３】
また、酵素を用いるさらに他の方法として、クレアチニンの加水分解を触媒するポリマー、サルコシン酸化酵素及びメディエータを固定化した電極を用いて、クレアチニンを測定する方法が提案されている（例えば、特許文献１０参照）。特許文献１０には、メディエータとして、フェリシアン化カリウム、フェロセン、オスミウム誘導体、フェナジンメトサルフェート（ＰＭＳ）などを用いることができることが開示されている。
【００１４】
さらに他のクレアチニン測定方法として、１，４−ナフトキノン−２−スルホン酸カリウムを用いる方法が提案されている（例えば、特許文献１１、非特許文献１〜３参照）。
【特許文献１】米国特許第３７０５０１３号明細書
【特許文献２】特表２００１−５１２６９２号公報
【特許文献３】特開昭６２−２５７４００号公報
【特許文献４】特表２００３−５３３６７９号公報
【特許文献５】米国特許第５４６６５７５号明細書
【特許文献６】特開２００６−３４９４１２号公報
【特許文献７】特開２００５−１１８０１４号公報
【特許文献８】特開昭５５−０２３９９８号公報
【特許文献９】特開昭５４−１５１０９５号公報
【特許文献１０】特開２００３−３２６１７２号公報
【特許文献１１】特開昭６３−０３３６６１号公報
【非特許文献１】サリバン、外１名、「クレアチニンの高特異的テスト」、ジャーナル  オブ  バイオロジカル  ケミストリー、１９５８年、第２３３巻、第２号、ｐ．５３０−５３４（Ｓｕｌｌｉｖａｎ，“Ａ  Ｈｉｇｈｌｙ  Ｓｐｅｃｉｆｉｃ  Ｔｅｓｔ  ｆｏｒ  Ｃｒｅａｔｉｎｉｎｅ”，１９５８，Ｖｏｌ．２３３，Ｎｏ．２，ｐ．５３０−５３４）
【非特許文献２】ナラヤナン、外１名、「クレアチニン：レヴュー」、クリニカル  ケミストリー、１９８０年、第２６巻、第８号、ｐ．１１１９−１１２６（Ｎａｒａｙａｎａｎ，“Ｃｒｅａｔｉｎｉｎｅ：Ａ  Ｒｅｖｉｅｗ”，Ｃｌｉｎｉｃａｌ  Ｃｈｅｍｉｓｔｒｙ，１９８０，Ｖｏｌ．２６，Ｎｏ．８，ｐ．１１１９−１１２６）
【非特許文献３】クーパー、外１名、「４つの尿中クレアチニン測定方法の評価」、クリニカル  ケミストリー、１９６１年、第７巻、第６号、ｐ．６６５−６７３（Ｃｏｏｐｅｒ，“Ａｎ  Ｅｖａｌｕａｔｉｏｎ  ｏｆ  Ｆｏｕｒ  Ｍｅｔｈｏｄｓ  ｏｆ  Ｍｅａｓｕｒｉｎｇ  Ｕｒｉｎａｒｙ  Ｃｒｅａｔｉｎｉｎｅ”，１９６１，Ｖｏｌ．７，Ｎｏ．６，Ｐ．６６５−６７３）
【発明の開示】
【発明が解決しようとする課題】
【００１５】
しかしながら、上記従来の方法では、以下のような問題点があった。
【００１６】
特許文献１に記載の方法においては、グリシン、ヒスチジン、グルタミン、セリン等のアミノ酸やグルコース等の糖がピクリン酸と反応してしまうため、アミノ酸や糖を含む試料、例えば尿や血液などの生体試料中においてクレアチニンを正確に定量することは困難である。
【００１７】
また、特許文献２に記載の方法においては、ｐＨや電位の変化が不安定であるため、クレアチニンを正確に定量することは困難である。
【００１８】
また、特許文献２〜１０に記載の方法においては、試料中に塩分等のイオン種や尿素が存在すると酵素が変性することにより酵素の活性が低下するため、試料中に含まれるイオン種や尿素の濃度によって反応速度にばらつきが生じる。したがって、イオン種や尿素を含む試料、例えば尿や血液などの生体試料中のクレアチニンを定量する際には、試料中に含まれるイオン種や尿素の濃度によって測定結果に誤差が生じる。
【００１９】
また、特許文献１１及び非特許文献１に記載されている１，４−ナフトキノン−２−スルホン酸カリウムを用いる方法については、非特許文献２及び３において、測定結果の再現性が非常に低いという問題が報告されている。
【００２０】
そこで、本発明は、上記従来の問題点に鑑み、試料中に含まれるクレアチニンを精度良く定量することができるクレアチニン測定方法、クレアチニン測定デバイス、及びクレアチニン測定装置を提供することを第１の目的とする。
【００２１】
また、本発明は、尿中に含まれる塩分を精度良く定量することができる尿中塩分量測定方法、尿中塩分量測定デバイス、及び尿中塩分量測定装置を提供することを第２の目的とする。
【課題を解決するための手段】
【００２２】
上記従来の問題を解決するために、本発明のクレアチニン測定方法は、（Ａ）クレアチニンを含む試料と、ｐＨ７、２５℃における酸化還元電位が、銀−塩化銀電極に対して３８０ｍＶよりも正であるオスミウム錯体を含むクレアチニン測定用試薬とを接触させることにより、前記試料中に含まれる前記クレアチニンと、前記オスミウム錯体とが直接反応して、クレアチニンの酸化物が生成する工程、
（Ｂ）前記工程Ａにおける前記反応を電気化学的に測定する工程、並びに
（Ｃ）前記工程Ｂにおける測定値に基づき前記試料中に含まれる前記クレアチニンの濃度または量を求める工程を含む。
【００２３】
また、本発明の尿中塩分量測定方法は、試料として尿を用い、上記クレアチニン測定方法の工程Ａ及びＢに加えて、
（Ｆ）前記尿と前記クレアチニン測定用試薬とが接触する前に、前記尿の電気特性を測定する工程、及び
（Ｇ）前記工程Ｂにおける測定値と、前記工程Ｆにおいて測定された前記電気特性とに基づいて、前記尿中への塩分の排泄量を反映する値を求める工程をさらに含む。
【００２４】
また、本発明のクレアチニン測定デバイスは、上記クレアチニン測定方法に用いられるクレアチニン測定デバイスであって、クレアチニンを含む試料を収容するための試料収容室と、前記試料収容室と連通し、前記試料収容室内に前記試料を導入するための試料導入口と、前記試料収容室内に配置された少なくとも２つの電極と、前記試料収容室内に配置された、ｐＨ７、２５℃における酸化還元電位が、銀−塩化銀電極に対して３８０ｍＶよりも正であるオスミウム錯体を含むクレアチニン測定用試薬とを備える。
【００２５】
また、本発明の尿中塩分量測定デバイスは、上記尿中塩分量測定方法に用いられる尿中塩分量測定デバイスであって、試料である尿を収容するための第１の試料収容室と、前記第１の試料収容室と連通し、前記第１の試料収容室内に前記尿を導入するための第１の試料導入口と、前記第１の試料収容室内に配置された少なくとも２つの電極と、前記第１の試料収容室内に配置された、ｐＨ７、２５℃における酸化還元電位が、銀−塩化銀電極に対して３８０ｍＶよりも正であるオスミウム錯体を含むクレアチニン測定用試薬と、前記尿を収容するための第２の試料収容室と、前記第２の試料収容室と連通し、前記第２の試料収容室内に前記尿を導入するための第２の試料導入口と、前記第２の試料収容室内に配置された少なくとも２つの電極とを備える。
【００２６】
また、本発明のクレアチニン測定装置は、上記クレアチニン測定デバイスを取付けるための測定デバイス取付け部、前記測定デバイス取付け部に取付けられた前記クレアチニン測定デバイスの前記試料収容室内におけるクレアチニンと前記クレアチニン測定用試薬との反応を電気化学的に測定する測定部、及び前記測定部における測定値に基づき前記試料中に含まれる前記クレアチニンの濃度または量を求める演算部を備える。
【００２７】
また、本発明の尿中塩分量測定装置は、上記尿中塩分量測定デバイスを取付けるための測定デバイス取付け部、前記測定デバイス取付け部に取付けられた前記尿中塩分量測定デバイスの前記第１の試料収容室内におけるクレアチニンと前記クレアチニン測定用試薬との反応を電気化学的に測定する第１の測定部、前記測定デバイス取付け部に取付けられた前記尿中塩分量測定デバイスの前記第２の試料収容室内における前記尿の電気特性を測定する第２の測定部、及び前記第１の測定部における測定値と前記第２の測定部により測定された前記電気特性とに基づき、前記尿中への塩分の排泄量を反映する値を求める演算部を備える。
【発明の効果】
【００２８】
本発明のクレアチニン測定方法によれば、試料中に含まれるクレアチニンを精度良く定量することができる。
【発明を実施するための最良の形態】
【００２９】
本発明の発明者は、クレアチニンと、ｐＨ７、２５℃における酸化還元電位が、銀−塩化銀電極に対して（以下、「ｖｓ  Ａｇ／ＡｇＣｌ」と略称する）３８０ｍＶよりも正であるオスミウム錯体とが直接的に反応することを新たに見出した。この反応においては、クレアチニンに作用する酵素が存在しない状態であっても、クレアチニンと前記オスミウム錯体とが反応して、クレアチニンの酸化物と、還元された前記オスミウム錯体とが生成する。
【００３０】
本発明は上記の新たな知見に基づいてなされたものであり、クレアチニン測定用試薬組成物の有効成分としてｐＨ７、２５℃における酸化還元電位が、３８０ｍＶ（ｖｓ  Ａｇ／ＡｇＣｌ）よりも正であるオスミウム錯体を用いることを特徴とする。
【００３１】
本発明のクレアチニン測定方法は、（Ａ）クレアチニンを含む試料と、ｐＨ７、２５℃における酸化還元電位が、銀−塩化銀電極に対して３８０ｍＶよりも正であるオスミウム錯体を含むクレアチニン測定用試薬とを接触させることにより、前記試料中に含まれる前記クレアチニンと、前記オスミウム錯体とが直接反応して、クレアチニンの酸化物が生成する工程、
（Ｂ）前記工程Ａにおける前記反応を電気化学的に測定する工程、並びに
（Ｃ）前記工程Ｂにおける測定値に基づき前記試料中に含まれる前記クレアチニンの濃度または量を求める工程を含む。
【００３２】
この方法によると、従来の測定方法と異なり、クレアチニンに作用する酵素やピクリン酸がない状態において、クレアチニンとクレアチニン測定用試薬に含まれる上記オスミウム錯体とが直接反応するので、塩分等のイオン種、尿素、アミノ酸、糖などの妨害成分の影響を受けることなく反応が進行する。そのため、尿や血液などの生体試料を用いた場合であっても、従来の測定方法よりも精度良く試料中に含まれるクレアチニンを定量することができる。
【００３３】
本発明において用いるオスミウム錯体としては、［Ｏｓ（ｂｐｙ）（５，５’−ｄｍｂｐｙ）２］２＋／３＋、［Ｏｓ（４，４’−ｄｍｂｐｙ）２（５，５’−ｄｍｂｐｙ）］２＋／３＋、［Ｏｓ（５，５’−ｄｍｂｐｙ）２（ｄｐａ）］２＋／３＋等が挙げられる。［Ｏｓ（ｂｐｙ）（５，５’−ｄｍｂｐｙ）２］２＋／３＋、［Ｏｓ（４，４’−ｄｍｂｐｙ）２（５，５’−ｄｍｂｐｙ）］２＋／３＋、及び［Ｏｓ（５，５’−ｄｍｂｐｙ）２（ｄｐａ）］２＋／３＋のｐＨ７、２５℃における酸化還元電位は、それぞれ６００ｍＶ、５００ｍＶ及び３８０ｍＶ（ｖｓ  Ａｇ／ＡｇＣｌ）である。
【００３４】
本発明において用いるオスミウム錯体のｐＨ７、２５℃における酸化還元電位は、６００ｍＶよりも負であることが好ましい。
【００３５】
前記工程Ａにおいて、前記試料に緩衝剤を接触させてもよい。
【００３６】
本発明において用いられる緩衝剤としては、リン酸水素二カリウム、リン酸二水素カリウム等のリン酸系緩衝剤、クエン酸系緩衝剤、フタル酸系緩衝剤、酢酸系緩衝剤、ＭＥＳ緩衝剤などが挙げられる。
【００３７】
本発明のクレアチニン測定方法において、前記工程Ａにおいて、前記試料にリン酸系緩衝剤を接触させることにより、前記試料のｐＨが６付近に調整されることが好ましい。
【００３８】
このようにすると、クレアチニンとオスミウム錯体との直接反応の反応速度が速くなるため、測定時間を短縮することができる。
【００３９】
本発明のクレアチニン測定方法においては、リン酸系緩衝剤が、リン酸水素二カリウムとリン酸二水素カリウムとから構成されることが好ましい。このようにすると、これらのリン酸塩が試料中に溶解することによって、リン酸系緩衝剤が溶解後の試料のｐＨを６付近に調整することができる。
【００４０】
前記工程Ｂにおいて、前記試料に少なくとも２つの電極を接触させ、
前記工程Ｂが、
（Ｄ）前記２つの電極間に電圧を印加する工程、及び
（Ｅ）前記２つの電極間に流れる電流の値または電荷量を検出する工程を含み、
前記工程Ｃにおいて、
前記工程Ｅにおいて検出された前記電流値または前記電荷量に基づいて前記試料中に含まれる前記クレアチニンの濃度または量を求めてもよい。
【００４１】
このようにすると、試料中に含まれるクレアチニンの濃度または量を電気化学的に容易に求めることができる。
【００４２】
本発明の尿中塩分量測定方法は、試料として尿を用い、上記クレアチニン測定方法の工程Ａ及びＢに加えて、
（Ｆ）前記尿と前記クレアチニン測定用試薬とが接触する前に、前記尿の電気特性を測定する工程、及び
（Ｇ）前記工程Ｂにおける測定値と、前記工程Ｆにおいて測定された前記電気特性とに基づいて、前記尿中への塩分の排泄量を反映する値を求める工程をさらに含む。
【００４３】
尿とクレアチニン測定用試薬とが接触して尿中にクレアチニン測定用試薬が溶解する前における尿の電気特性は、尿中に含まれる電解質の濃度を反映している。尿中に含まれる電解質の濃度は、尿中に含まれる塩分の濃度と相関がある。塩分等の成分は、水分摂取、発汗などの影響を受け、濃縮または希釈されて尿中に排泄される。そのため、昼間、夜間を問わず随時に採取された尿である随時尿中に含まれる塩分等の尿中成分の濃度は、尿の濃縮・希釈の影響を受けて変動する。
【００４４】
一方、上述のように、クレアチニンは筋肉量に依存して産生されることから、単位時間当たりの尿中へのクレアチニンの排泄量は一定であることが知られている。そこで、随時尿を用いた場合であっても、例えば、測定された尿中成分濃度のクレアチニン濃度に対する比（尿中成分／クレアチニン比）を求めることにより、尿の濃縮・希釈の影響を補正することができる。
【００４５】
本発明の尿中塩分量測定方法によると、クレアチニン濃度を精度良く反映している、工程Ｂにおける測定値と、塩分濃度を反映している、工程Ｆにおいて測定された電気特性とを用いることにより、尿の濃縮・希釈の影響が精度良く補正されるので、尿中への塩分の排泄量を適切に反映する値を求めることができる。
【００４６】
ここで、尿の電気特性としては、抵抗、導電率、インピーダンス、入力された電流（または電圧）信号に対して出力される電圧（または電流）信号、入力された交流信号の位相と出力される交流信号の位相との位相差等が挙げられる。
【００４７】
工程Ｉにおいて求められる尿中への塩分の排泄量を反映する値としては、クレアチニン単位量当たりの塩分量、単位時間（例えば１日）当たりの尿中塩分排泄量、単位時間（例えば１日）当たりの塩分摂取量等が挙げられる。
【００４８】
本発明のクレアチニン測定デバイスは、上記クレアチニン測定方法に用いられるクレアチニン測定デバイスであって、クレアチニンを含む試料を収容するための試料収容室と、前記試料収容室と連通し、前記試料収容室内に前記試料を導入するための試料導入口と、前記試料収容室内に配置された少なくとも２つの電極と、前記試料収容室内に配置された、ｐＨ７、２５℃における酸化還元電位が、銀−塩化銀電極に対して３８０ｍＶよりも正であるオスミウム錯体を含むクレアチニン測定用試薬とを備える。
【００４９】
このデバイスによると、従来の測定デバイスと異なり、試料収容室内において、クレアチニンに作用する酵素やピクリン酸がない状態であってもクレアチニンとクレアチニン測定用試薬に含まれる上記オスミウム錯体とが直接反応するので、塩分等のイオン種、尿素、アミノ酸、糖などの妨害成分の影響を受けることなく反応が進行する。そのため、尿や血液などの生体試料を用いた場合であっても、従来の測定デバイスよりも精度良く試料中に含まれるクレアチニンを定量することができる。
【００５０】
本発明のクレアチニン測定デバイスは、前記試料収容室内に配置されたリン酸系緩衝剤をさらに備えていてもよい。
【００５１】
本発明の尿中塩分量測定デバイスは、上記尿中塩分量測定方法に用いられる尿中塩分量測定デバイスであって、試料である尿を収容するための第１の試料収容室と、前記第１の試料収容室と連通し、前記第１の試料収容室内に前記尿を導入するための第１の試料導入口と、前記第１の試料収容室内に配置された少なくとも２つの電極と、前記第１の試料収容室内に配置された、ｐＨ７、２５℃における酸化還元電位が、銀−塩化銀電極に対して３８０ｍＶよりも正であるオスミウム錯体を含むクレアチニン測定用試薬と、前記尿を収容するための第２の試料収容室と、前記第２の試料収容室と連通し、前記第２の試料収容室内に前記尿を導入するための第２の試料導入口と、前記第２の試料収容室内に配置された少なくとも２つの電極とを備える。このデバイスによると、クレアチニン濃度を精度良く反映している、尿中に含まれるクレアチニンとクレアチニン測定用試薬との反応の量と、塩分濃度を反映している尿の電気特性とを測定することができる。上記反応量と電気特性とを用いることにより、尿の濃縮・希釈の影響が精度良く補正されるので、尿中への塩分の排泄量を適切に反映する値を求めることができる。
【００５２】
本発明のクレアチニン測定装置は、上記クレアチニン測定デバイスを取付けるための測定デバイス取付け部、前記測定デバイス取付け部に取付けられた前記クレアチニン測定デバイスの前記試料収容室内におけるクレアチニンと前記クレアチニン測定用試薬との反応を電気化学的に測定する測定部、及び前記測定部における測定値に基づき前記試料中に含まれる前記クレアチニンの濃度または量を求める演算部を備える。
【００５３】
この測定装置によると、測定デバイス取付け部に取付けられた上記のクレアチニン測定デバイスを用いて、電気化学的に試料中に含まれるクレアチニンの濃度または量を測定することができる。本発明のクレアチニン測定装置は、従来の測定装置と異なり、試料収容室内において、クレアチニンに作用する酵素やピクリン酸がない状態であってもクレアチニンとクレアチニン測定用試薬に含まれる上記オスミウム錯体とが直接反応するので、塩分等のイオン種、尿素、アミノ酸、糖などの妨害成分の影響を受けることなく反応が進行する。そのため、尿や血液などの生体試料を用いた場合であっても、従来の測定デバイスよりも精度良く試料中に含まれるクレアチニンを定量することができる。
【００５４】
また、本発明のクレアチニン測定装置は、前記クレアチニン測定デバイスが、前記試料収容室内に配置された少なくとも２つの電極をさらに備え、前記測定部が、前記２つの電極間に電圧を印加する電圧印加部、及び前記２つの電極間に流れる電流の値または電荷量を検出する検出部を有し、前記演算部が、前記検出部により検出された前記電流値または前記電荷量に基づいて前記試料中に含まれる前記クレアチニンの濃度または量を求めてもよい。
【００５５】
この構成によると、測定デバイス取付け部に取付けられた上記のクレアチニン測定デバイスを用いて、試料中に含まれるクレアチニンの濃度または量を電気化学的に容易に求めることができる。
【００５６】
本発明の尿中塩分量測定装置は、上記尿中塩分量測定デバイスを取付けるための測定デバイス取付け部、前記測定デバイス取付け部に取付けられた前記尿中塩分量測定デバイスの前記第１の試料収容室内におけるクレアチニンと前記クレアチニン測定用試薬との反応を電気化学的に測定する第１の測定部、前記測定デバイス取付け部に取付けられた前記尿中塩分量測定デバイスの前記第２の試料収容室内における前記尿の電気特性を測定する第２の測定部、及び前記第１の測定部における測定値と前記第２の測定部により測定された前記電気特性とに基づき、前記尿中への塩分の排泄量を反映する値を求める演算部を備える。この測定装置によると、高精度に定量された尿中のクレアチニン濃度を用いて、測定された尿の電気特性に対して尿の濃淡を補正することができるので、精度良く尿中に含まれる塩分の量を求めることができる。
【００５７】
本発明の尿中塩分量測定方法によると、クレアチニン濃度を精度良く反映している、尿中に含まれるクレアチニンとクレアチニン測定用試薬との反応の量と、塩分濃度を反映している尿の電気特性とを用いることにより、尿の濃縮・希釈の影響が精度良く補正されるので、尿中への塩分の排泄量を適切に反映する値を求めることができる。
【００５８】
試料としては、水溶液の他、血液、血清、血漿、尿、間質液、リンパ液、唾液などの体液が挙げられる。特に、尿は非侵襲的に在宅での日常の健康管理を行うためには非常に有効的な試料である。これらの体液中のイオン種および尿素の濃度は比較的高いので、本発明の効果が非常に高く得られる。
【００５９】
本発明における少なくとも２つの電極の材料としては、金、白金、パラジウムあるいはそれらの合金または混合物、及びカーボンのいずれかを少なくとも含むものが好ましい。これらの材料は化学的、電気化学的に安定であり、安定した測定を実現することができる。第３の電極として、電位の安定した電極、例えばＡｇ／ＡｇＣｌや飽和カロメル電極等の参照電極を、上記２つの電極と組み合わせて使用してもよい。２つの電極のうち一方の電極の電位を第３の電極に対して規制するようにすると、測定のための電位が安定するので好ましい。また、２つの電極のうち他方の電極として、例えばＡｇ／ＡｇＣｌや飽和カロメル電極等を用いても良い。
【００６０】
本発明の測定デバイスにおいては、クレアチニン測定用試薬が乾燥状態で備えられ、試料収容室内に試料が導入されたときに試料に溶解するように配置されていることが好ましい。
【００６１】
例えば、ガラス繊維や濾紙等から構成される多孔性の担体にクレアチニン測定用試薬を含む溶液を含浸させた後、乾燥させることによりクレアチニン測定用試薬を上記担体に担持させ、当該担体を試料と接する部分に設ければよい。また、測定デバイスにおける試料と接する部分の壁面に、クレアチニン測定用試薬を含む溶液を直接塗布した後乾燥することによりクレアチニン測定用試薬を配置してもよい。
【００６２】
上記測定デバイスは着脱可能な状態で測定装置の測定デバイス取付け部に取付けられることが好ましい。また、特に尿や血液などの生体液を用いる場合には衛生的な観点から、測定デバイスは使い捨てであることが好ましい。
【００６３】
以下、本発明の実施の形態について、図面を用いて説明する。
【００６４】
（実施の形態１）
本発明の実施の形態１に係るクレアチニン測定デバイスについて、図１を用いて説明する。図１は、本実施の形態におけるクレアチニン測定デバイスの構成を示す分解斜視図である。
【００６５】
本実施の形態に係るクレアチニン測定デバイス１００は、電気化学的に試料中に含まれるクレアチニンの濃度を定量するクレアチニン測定方法に用いられる。本実施の形態に係るクレアチニン測定デバイス１００は、絶縁性の第１の基板１０２及び空気孔１０８を有する第２の基板１０４が、スリット１１０を有するスペーサ１０６を挟んで組み合わされた構造を有している。
【００６６】
第１の基板１０２には、第１の電極１１２、第２の電極１１４、第１の電極１１２と電気的に接続された第１のリード１２２、及び第２の電極１１４と電気的に接続された第２のリード１２４が配置されている。また、第１の電極１１２及び第２の電極１１４上には、クレアチニン測定用試薬を含む試薬層１３０が配置されている。第１の基板１０２の寸法は、適宜設定すればよいが、例えば、幅が７ｍｍ程度、長さが３０ｍｍ程度、厚みが０．７ｍｍ程度である。
【００６７】
次に、クレアチニン測定デバイス１００の製造方法について説明する。本実施の形態においては、クレアチニン測定用試薬の有効成分として、ｐＨ７、２５℃における酸化還元電位が６００ｍＶ（ｖｓ  Ａｇ／ＡｇＣｌ）のオスミウム錯体である［Ｏｓ（ｂｐｙ）（５，５’−ｄｍｂｐｙ）２］２＋／３＋を用いている。
【００６８】
まず、ポリエチレンテレフタレート製の第１の基板１０２上に、樹脂製の電極パターンマスクを設置した状態でパラジウムをスパッタリングすることによって、第１の電極１１２、第２の電極１１４、第１のリード１２２、及び第２のリード１２４を形成する。第１の電極１１２及び第２の電極１１４は、それぞれ第１のリード１２２及び第２のリード１２４によって、後述するクレアチニン測定装置の端子と電気的に接続される。
【００６９】
次に、第１の基板１０２上に設けられた第１の電極１１２及び第２の電極１１４上に、［Ｏｓ（ｂｐｙ）（５，５’−ｄｍｂｐｙ）２］（ＰＦ６）２Ｃｌ、リン酸二水素カリウム、及びリン酸水素二カリウムを溶解した水溶液を、マイクロシリンジなどを用いて一定量滴下した後、第１の基板１０２を室温〜３０℃程度の環境に静置して乾燥させることにより試薬層１３０を形成する。塗布する試薬を含む水溶液の濃度及び量は、必要とするデバイスの特性やサイズに応じて選択すればよいが、例えば、試薬を含む水溶液中の［Ｏｓ（ｂｐｙ）（５，５’−ｄｍｂｐｙ）２］（ＰＦ６）２Ｃｌの濃度が８ｍｇ／ｄＬ程度であり、滴下量が０．７ｍＬ程度である。また、試薬層１３０を形成する領域の面積は、試料に対する試薬の溶解性などを鑑みて適宜選択すればよいが、例えば、その面積を３ｍｍ２程度とする。
【００７０】
次に、電極及び試薬層１３０が形成された第１の基板１０２、スリット１１０を有するポリエチレンテレフタレート製のスペーサ１０６、及び空気孔１０８を有する第２の基板１０４を組み合わせる。第１の基板１０２、スペーサ１０６及び第２の基板１０４の各接合部分に接着剤を塗布し、これらを張り合わせた後、押圧して静置し接着させる。この方法に代えて、接着剤を塗布せずに組み合わせた後、市販の溶着機を用いて接合部分を熱または超音波によって溶着させてもよい。
【００７１】
第１の基板１０２、スペーサ１０６及び第２の基板１０４を組み合わせたときに、第１の基板１０２、スペーサ１０６に設けられたスリット１１０及び第２の基板１０４により形成される空間部が、試料収容室として機能する。また、スリット１１０の開口部が試料導入口１３２として機能する。
【００７２】
次に、本実施の形態に係るクレアチニン測定装置及びそれを用いたクレアチニン測定方法について、図２及び３を用いて説明する。図２は、本実施の形態に係るクレアチニン測定装置２００の外観を示す斜視図、図３はクレアチニン測定装置２００の構成を示すブロック図である。
【００７３】
まず、クレアチニン測定装置２００の構成について、図２を参照しながら説明する。
【００７４】
クレアチニン測定装置２００の筐体２０２には、クレアチニン測定装置２００にクレアチニン測定デバイス１００を取付けるための測定デバイス取付け部２０８、測定結果等が表示されるディスプレイ２０４、及びクレアチニン測定装置２００によるクレアチニンの測定を開始させるための測定開始ボタン２０６が設けられている。また、測定デバイス取付け部２０８の内部には、測定デバイス取付け部２０８に取り付けられたクレアチニン測定デバイス１００の第１のリード１２２及び第２のリード１２４とそれぞれ電気的に接続される第１の端子及び第２の端子が設けられている。
【００７５】
次に、クレアチニン測定装置２００の筐体２０２内部の構成について、図３を参照しながら説明する。
【００７６】
クレアチニン測定装置２００は、筐体２０２内部に、電圧印加部３０２、電気信号検出部３０４、制御部３０６、計時部３０８、及び記憶部３１０を備えている。
【００７７】
電圧印加部３０２は、測定デバイス取付け部２０８に取付けられたクレアチニン測定デバイス１００の第１のリード１２２及び第２のリード１２４とそれぞれ電気的に接続された第１の端子及び第２の端子を介して、クレアチニン測定デバイス１００の第１の電極１１２及び第２の電極１１４に電圧または電位を印加する機能を有する。
【００７８】
電気信号検出部３０４は、第１の電極１１２及び第２の電極１１４からの電気信号を、第１の端子及び第２の端子を介して検出測定する機能を有する。電気信号検出部３０４は、本発明における検出部に相当する。
【００７９】
記憶部３１０には、クレアチニンの濃度と電気信号検出部３０４により検出される電気信号との相関を表す検量線に相当する相関データが格納されている。記憶部３１０としては、例えば、ＲＡＭ、ＲＯＭ等のメモリを用いることができる。
【００８０】
制御部３０６は、上記相関データを参照して、電気信号検出測定部３０４により検出定された電気信号をクレアチニン濃度に換算する機能を有する。制御部３０６は、本発明における演算部に相当する。制御部３０６としては、例えば、ＣＰＵ（Ｃｅｎｔｒａｌ  Ｐｒｏｃｅｓｓｉｎｇ  Ｕｎｉｔ）等のマイクロコンピュータを用いることができる。
【００８１】
次に、クレアチニン測定デバイス１００及びクレアチニン測定装置２００を用いた、本実施の形態に係るクレアチニン測定方法について説明する。
【００８２】
まず、使用者がクレアチニン測定デバイス１００のリード側をクレアチニン測定装置２００の測定デバイス取付け部２０８に挿入する。これにより、クレアチニン測定デバイス１００の第１のリード１２２及び第２のリード１２４と、測定デバイス取付け部２０８内部に設けられている第１の端子及び第２の端子とがそれぞれ接触することにより電気的に導通する。
【００８３】
測定デバイス取付け部２０８にクレアチニン測定デバイス１００が挿入されると、測定デバイス取付け部２０８内に設けられたマイクロスイッチからなる測定デバイス挿入検知スイッチが作動して、制御部３０６に信号を出力する。測定デバイス挿入検知スイッチからの出力信号により制御部３０６がクレアチニン測定デバイス１００の挿入を検知すると、制御部３０６は電圧印加部３０２を制御して、第１の端子及び第２の端子を介して、第１の電極１１２及び第２の電極１１４との間に電圧（例えば０．２Ｖ）が印加される。
【００８４】
次に、使用者が、クレアチニン測定デバイス１００の試料導入口１３２に、試料を接触させる。この接触により、試料導入口１３２を通ってクレアチニン測定デバイス１００の試料収容室内に、試料が毛管現象により吸引され、試料収容室内が試料によって充填される。試料が第１の電極１１２及び第２の電極１１４に接触すると、試料を介して第１の電極１１２及び第２の電極１１４間に電流が流れるようになるため、それに起因する電気信号の変化を電気信号検出部３０４が検出する。
【００８５】
電気信号検出部３０４からの出力信号により、試料収容室に試料が導入されたことを制御部３０６が検知すると、制御部３０６は電圧印加部３０２を制御して、電圧印加部３０２による印加電圧を異なる電圧（例えば０Ｖまたは開回路）に切り替える。また、試料導入の検知に伴い、制御部３０６がタイマーである計時部３０８による計時を開始させる。
【００８６】
試料収容室内に露出している試薬層１３０と試料とが接触すると、試薬層１３０に含まれるクレアチニン測定用試薬中の［Ｏｓ（ｂｐｙ）（５，５’−ｄｍｂｐｙ）２］（ＰＦ６）２Ｃｌが試料中に溶解する。［Ｏｓ（ｂｐｙ）（５，５’−ｄｍｂｐｙ）２］（ＰＦ６）２Ｃｌが試料中に溶解することにより生成した［Ｏｓ（ｂｐｙ）（５，５’−ｄｍｂｐｙ）２］３＋が試料中に含まれるクレアチニンと直接反応することにより、クレアチニンの酸化物と［Ｏｓ（ｂｐｙ）（５，５’−ｄｍｂｐｙ）２］２＋とが生成する。
【００８７】
計時部３０８からの信号によって、所定時間（例えば、６０秒）経過したことを制御部３０６が判断すると、制御部３０６は電圧印加部３０２を制御して、第１の電極１１２及び第２の電極１１４との間に再度異なる電圧を印加する（例えば、第１の電極１１２が第２の電極１１４に比べて＋０．５Ｖとなる電圧）。このように電圧を印加してから一定時間（例えば５秒）後、第１の電極１１２と第２の電極１１４との間で流れる電流等の電気信号を電気信号検出部３０４において測定する。このとき、第１の電極１１２では［Ｏｓ（ｂｐｙ）（５，５’−ｄｍｂｐｙ）２］２＋が酸化される。電気信号検出部３０４において測定される電気信号は、試料中に含まれるクレアチニン濃度に依存する。
【００８８】
制御部３０６は記憶部３１０に格納されている電気信号とクレアチニン濃度との相関を表す相関データを読み出し、それを参照することにより電気信号検出部３０４において検出された電気信号を試料中のクレアチニン濃度に換算する。
【００８９】
得られたクレアチニン濃度はディスプレイ２０４に表示される。ディスプレイ２０４にクレアチニン濃度が表示されることにより、ユーザはクレアチニン濃度測定が完了したことがわかる。得られたクレアチニン濃度は、計時部３０８により計時された時刻とともに記憶部３１０に保存されることが好ましい。
【００９０】
本実施の形態に係るクレアチニン測定デバイス１００によれば、従来の測定デバイスと異なり、試料収容室内において、クレアチニンに作用する酵素やピクリン酸がない状態であってもクレアチニンとクレアチニン測定用試薬中の上記オスミウム錯体とが直接反応するので、塩分等のイオン種、尿素、アミノ酸、糖などの妨害成分の影響を受けることなく反応が進行する。そのため、尿や血液などの生体試料を用いた場合であっても、従来の測定デバイスよりも精度良く試料中に含まれるクレアチニンを定量することができる。
【００９１】
なお、本実施の形態においては、クレアチニン測定用試薬に含まれる有効成分として［Ｏｓ（ｂｐｙ）（５，５’−ｄｍｂｐｙ）２］２＋／３＋を用いる例を示したが、代わりに［Ｏｓ（４，４’−ｄｍｂｐｙ）２（５，５’−ｄｍｂｐｙ）］２＋／３＋または［Ｏｓ（５，５’−ｄｍｂｐｙ）２（ｄｐａ）］２＋／３＋を用いてもよい。クレアチニン測定用試薬に含まれる有効成分として［Ｏｓ（４，４’−ｄｍｂｐｙ）２（５，５’−ｄｍｂｐｙ）］２＋／３＋または［Ｏｓ（５，５’−ｄｍｂｐｙ）２（ｄｐａ）］２＋／３＋を用いる場合にも、塩分等のイオン種、尿素、アミノ酸、糖などの妨害成分の影響を受けることなく、従来の測定デバイスよりも精度良く試料中に含まれるクレアチニンを定量することができる。
【００９２】
また、本実施の形態では、クレアチニン測定デバイスが１つの試薬層を備える例を示したこれに限定されない。クレアチニン測定デバイスが、２つの試薬層、例えばクレアチニン測定用試薬を含む第１の試薬層とリン酸系緩衝剤を含む第２の試薬層とを備えていてもよい。
【００９３】
また、本実施の形態において、試料収容室に試料が導入されたことを制御部が検知することにより、電圧印加部による印加電圧が異なる電圧に切り替えられる例について示したがこれに限定されない。クレアチニンの濃度に依存した電流が得られる限り、測定に必要な電圧値（ここでは、上述のように、例えば、第１の電極が第２の電極に比べて＋０．５Ｖとなる電圧）をクレアチニン測定デバイスの挿入検知時から印加しておけば、試料検知後もその電圧値を継続して印加してもよい。
【００９４】
また、本実施の形態では、電気信号を得るための第１の電極への印加電位を第２の電極に対して５００ｍＶとする例を示したが、これに限定されることはない。第１の電極と第２の電極との間の電圧は、クレアチニンとの酸化還元反応により生成した［Ｏｓ（ｂｐｙ）（５，５’−ｄｍｂｐｙ）２］２＋が酸化される電圧であればよい。
【００９５】
また、本実施の形態においては、試料の検知後、電気信号を検出するまでの時間（反応時間）を６０秒とする例を示したが、必ずしもその値である必要はない。クレアチニン濃度の違いに対する電流値の差を有意に検出できる限り、反応時間は上記より小さい値を用いることができる。一方、反応時間をより大きくした場合、クレアチニンと［Ｏｓ（ｂｐｙ）（５，５’−ｄｍｂｐｙ）２］３＋との反応が完了状態あるいは定常状態に達する可能性が高まるため、温度などの環境条件の影響を受けずにクレアチニンの存在量をより正確に定量しやすくなる。
【００９６】
また、電極に電位を印加してから５秒後に電気信号を検出する例を示したが、この時間に限定されない。この時間は、クレアチニン濃度の違いに対する電気信号の差を有意に検出できる時間であればよい。
【００９７】
また、本実施の形態では、電極系、リード／端子の一例を示したが、それらの形状、個数、配置等はこれらに限定されない。
【００９８】
また、クレアチニン測定デバイスの試料収容室内への試料の導入をより円滑にするために、レシチンをトルエンまたはその他の有機溶媒に溶解した溶液を、第２の基板の内壁に塗布して乾燥させることによりレシチン層を形成してもよい。このような構造にすることにより、試料量をより再現性よく一定とすることができるため、より精度良く試料中に含まれるクレアチニンを定量することができる。
【００９９】
また、クレアチニン測定装置が、測定結果として得られたクレアチニン濃度をＳＤカードなどの記憶媒体に記録するための記録部をさらに備えていてもよい。取り外し可能な記憶媒体に保存することにより、測定結果をクレアチニン測定装置から容易に取り出すことができるので、分析関連業者に測定結果の分析を依頼することが容易になる。
【０１００】
また、クレアチニン測定装置が、測定結果として得られたクレアチニン濃度をクレアチニン測定装置外に送信するための送信部をさらに備えていてもよい。これにより、測定結果を、病院内の分析関連部門または分析関連業者等に送信し、分析関連部門または分析関連業者などにおいて分析することができるので、測定から分析までの時間を短縮することができる。
【０１０１】
また、クレアチニン測定装置が、分析関連部門または分析関連業者などにおいて分析した結果を受信するための受信部をさらに備えていてもよい。これにより、分析結果を迅速に使用者にフィードバックすることができる。
【０１０２】
（実施の形態２）
次に、本発明の実施の形態２に係る尿中塩分量測定デバイスについて、図４及び５を用いて説明する。図４は、本実施の形態における尿中塩分量測定デバイスを第１の基板の第１の面側からみた構成を示す分解斜視図であり、図５は、本実施の形態における尿中塩分量測定デバイスを第１の基板の第２の面側からみた構成を示す分解斜視図である。
【０１０３】
本実施の形態に係る尿中塩分量測定デバイス７００は、試料である尿中に含まれるクレアチニンを電気化学的に測定するとともに尿の電気特性を測定し、これらの測定結果を用いて、１日に排泄される尿中に含まれる塩分の量を推定する方法に用いられる。
【０１０４】
本実施の形態に係る尿中塩分量測定デバイス７００は、絶縁性の第１の基板１０２及び空気孔１０８を有する第２の基板１０４が、第１の基板１０２の第１の面７０２と第１のスペーサ１０６とが接するように、スリット１１０を有する第１のスペーサ１０６を挟んで組み合わされ、さらに絶縁性の第１の基板１０２及び空気孔７０８を有する第３の基板７０４が、第１の基板１０２の第２の面８０２と第２のスペーサ７０６とが接するように、スリット７１０を有する第２のスペーサ７０６を挟んで組み合わされた構造を有している。
【０１０５】
第１の基板１０２の第１の面７０２上には、実施の形態１に係るクレアチニン測定デバイス１００と同様に、第１の電極１１２、第２の電極１１４、第１の電極１１２と電気的に接続された第１のリード１２２、及び第２の電極１１４と電気的に接続された第２のリード１２４が配置されている。また、第１の電極１１２及び第２の電極１１４上には、クレアチニン測定用試薬を含む試薬層１３０が配置されている。
【０１０６】
一方、第１の基板１０２の第２の面８０２上には、第３の電極７１２、第４の電極７１４、第５の電極７１６、第６の電極７１８、第３の電極７１２と電気的に接続された第３のリード７２２、第４の電極７１４と電気的に接続された第４のリード７２４、第５の電極７１６と電気的に接続された第５のリード７２６、及び第６の電極７１８と電気的に接続された第６のリード７２８が配置されている。第１の基板１０２の寸法は、適宜設定すればよいが、例えば、幅が７ｍｍ程度、長さが３０ｍｍ程度、厚みが０．７ｍｍ程度である。
【０１０７】
次に、尿中塩分量測定デバイス７００の製造方法について説明する。
【０１０８】
まず、ポリエチレンテレフタレート製である第１の基板１０２の第１の面７０２上に、樹脂製の電極パターンマスクを設置した状態でパラジウムをスパッタリングすることによって、第１の電極１１２、第２の電極１１４、第１のリード１２２、及び第２のリード１２４を形成する。第１の電極１１２及び第２の電極１１４は、それぞれ第１のリード１２２及び第２のリード１２４によって、後述する尿中塩分量測定装置の端子と電気的に接続される。
【０１０９】
次に、第１の基板１０２の第２の面８０２上に、上記の電極パターンマスクとは異なるパターンを有する電極パターンマスクを設置した状態でパラジウムをスパッタリングすることによって、第３の電極７１２、第４の電極７１４、第５の電極７１６、第６の電極７１８、第３のリード７２２、第４のリード７２４、第５のリード７２６、及び第６のリード７２８を形成する。第３の電極７１２、第４の電極７１４、第５の電極７１６、及び第６の電極７１８は、それぞれ第３のリード７２２、第４のリード７２４、第５のリード７２６、及び第６のリード７２８によって、後述する尿中塩分量測定装置の端子と電気的に接続されている。
【０１１０】
次に、第１の基板１０２の第１の面７０２上に設けられた第１の電極１１２及び第２の電極１１４上に、クレアチニン測定用試薬である［Ｏｓ（ｂｐｙ）（５，５’−ｄｍｂｐｙ）２］（ＰＦ６）２Ｃｌ、リン酸二水素カリウム、及びリン酸水素二カリウムを溶解した水溶液を、マイクロシリンジなどを用いて一定量滴下した後、第１の基板１０２を室温〜３０℃程度の環境に静置して乾燥させることにより試薬層１３０を形成する。塗布する試薬を含む水溶液の濃度及び量は、必要とするデバイスの特性やサイズに応じて選択すればよいが、例えば、試薬を含む水溶液中の［Ｏｓ（ｂｐｙ）（５，５’−ｄｍｂｐｙ）２］（ＰＦ６）２Ｃｌの濃度が８ｍｇ／ｄＬ程度であり、滴下量が０．７ｍＬ程度である。また、試薬層１３０を形成する領域の面積は、試料に対する試薬の溶解性などを鑑みて適宜選択すればよいが、例えば、その面積を３ｍｍ２程度とする。
【０１１１】
次に、第１の基板１０２の第１の面７０２と第１のスペーサ１０６とが接し、第１の基板１０２の第２の面８０２と第２のスペーサ７０６とが接するように、空気孔１０８を有する第２の基板１０４、スリット１１０を有するポリエチレンテレフタレート製の第１のスペーサ１０６、第１の基板１０２、スリット７１０を有するポリエチレンテレフタレート製の第２のスペーサ７０６、及び空気孔７０８を有する第３の基板７０４を組み合わせる。各部材の各接合部分に接着剤を塗布し、これらを張り合わせた後、押圧して静置し接着させる。この方法に代えて、接着剤を塗布せずに組み合わせた後、市販の溶着機を用いて接合部分を熱または超音波によって溶着させてもよい。
【０１１２】
第１の基板１０２、第１のスペーサ１０６及び第２の基板１０４を組み合わせたときに、第１の基板１０２、第１のスペーサ１０６に設けられたスリット１１０及び第２の基板１０４により形成される空間部が、クレアチニン測定用の第１の試料収容室として機能する。また、スリット１１０の開口部がクレアチニン測定用の第１の試料導入口１３２として機能する。
【０１１３】
一方、第１の基板１０２、第２のスペーサ７０６及び第３の基板７０４を組み合わせたときに、第１の基板１０２、第２のスペーサ７０６に設けられたスリット７１０及び第３の基板７０４により形成される空間部が、尿の電気特性用の第２の試料収容室として機能する。また、スリット７１０の開口部が尿の電気特性用の第２の試料導入口７３２として機能する。
【０１１４】
次に、本実施の形態に係る尿中塩分量測定装置及びそれを用いた尿中塩分量測定方法について、図６及び７を用いて説明する。図６は、本実施の形態に係る尿中塩分量測定装置９００の外観を示す斜視図、図７は尿中塩分量測定装置９００の構成を示すブロック図である。
【０１１５】
まず、尿中塩分量測定装置９００の構成について、図６を参照しながら説明する。
【０１１６】
尿中塩分量測定装置９００の筐体２０２には、尿中塩分量測定装置９００に尿中塩分量測定デバイス７００を取付けるための測定デバイス取付け部２０８、測定結果等が表示されるディスプレイ２０４、及び尿中塩分量測定装置９００によるクレアチニン及び尿の電気特性の測定を開始させるための測定開始ボタン２０６が設けられている。また、測定デバイス取付け部２０８の内部には、測定デバイス取付け部２０８に取り付けられた尿中塩分量測定デバイス７００の第１のリード１２２、第２のリード１２４、第３のリード７２２、第４のリード７２４、第５のリード７２６、及び第６のリード７２８とそれぞれ電気的に接続される第１の端子、第２の端子、第３の端子、第４の端子、第５の端子、及び第６の端子が設けられている。
【０１１７】
次に、尿中塩分量測定装置９００の筐体２０２内部の構成について、図７を参照しながら説明する。
【０１１８】
尿中塩分量測定装置９００は、筐体２０２内部に、電圧印加部３０２、電気信号検出部３０４、定電流交流電源９０２、電圧検出器９０４、制御部３０６、計時部３０８、及び記憶部３１０を備えている。
【０１１９】
電圧印加部３０２は、測定デバイス取付け部２０８に取付けられた尿中塩分量測定デバイス７００の第１のリード１２２及び第２のリード１２４とそれぞれ電気的に接続された第１の端子及び第２の端子を介して、尿中塩分量測定デバイス７００の第１の電極１１２及び第２の電極１１４に電圧または電位を印加する機能を有する。
【０１２０】
電気信号検出部３０４は、第１の電極１１２及び第２の電極１１４からの電気信号を、第１の端子及び第２の端子を介して検出測定する機能を有する。電気信号検出部３０４は、本発明における検出部に相当する。
【０１２１】
定電流交流電源９０２は、測定デバイス取付け部２０８に取付けられた尿中塩分量測定デバイス７００の第３のリード７２２及び第６のリード７２８とそれぞれ電気的に接続された第３の端子及び第６の端子を介して、尿中塩分量測定デバイス７００の第３の電極７１２と第６の電極７１８との間に一定の交流電流を印加する機能を有する。印加する交流電流は、例えば、周波数が１ｋＨｚ程度、電流値が０．１ｍＡ程度である。
【０１２２】
電圧検出器９０４は、第４の端子及び第５の端子を介して、第４の電極７１４と第５の電極７１６との間の電圧（交流電圧の実効値）を検出する機能を有する。
【０１２３】
記憶部３１０には、クレアチニンの濃度と電気信号検出部３０４により検出される電気信号との相関を表す第１の検量線に相当する第１の相関データ、塩分の濃度と電圧検出器９０４により検出される電圧との相関を表す第２の検量線に相当する第２の相関データ、及び１日当たりの尿中塩分排泄量とクレアチニン濃度により補正された塩分濃度との相関を表す第３の検量線に相当する第３の相関データが格納されている。記憶部３１０としては、例えば、ＲＡＭ、ＲＯＭ等のメモリを用いることができる。
【０１２４】
制御部３０６は、第１の相関データを参照して、電気信号検出測定部３０４により検出された電気信号をクレアチニン濃度に換算する機能、第２の相関データを参照して、電圧検出器９０４により検出された電圧を塩分濃度に換算する機能、得られたクレアチニン濃度を用いて塩分濃度を補正する機能、及び第３の相関データを参照して、補正後の塩分濃度を１日当たりの尿中塩分排泄量に換算する機能を有する。制御部３０６は、本発明における演算部に相当する。制御部３０６としては、例えば、ＣＰＵ（Ｃｅｎｔｒａｌ  Ｐｒｏｃｅｓｓｉｎｇ  Ｕｎｉｔ）等のマイクロコンピュータを用いることができる。
【０１２５】
次に、尿中塩分量測定デバイス７００及び尿中塩分量測定装置９００を用いた、本実施の形態に係る尿中塩分量測定方法について説明する。
【０１２６】
まず、使用者が尿中塩分量測定デバイス７００のリード側を尿中塩分量測定装置９００の測定デバイス取付け部２０８に挿入する。これにより、尿中塩分量測定デバイス７００の第１のリード１２２、第２のリード１２４、第３のリード７２２、第４のリード７２４、第５のリード７２６、及び第６のリード７２８と、測定デバイス取付け部２０８内部に設けられている第１の端子、第２の端子、第３の端子、第４の端子、第５の端子、及び第６の端子とがそれぞれ接触することにより電気的に導通する。
【０１２７】
測定デバイス取付け部２０８に尿中塩分量測定デバイス７００が挿入されると、測定デバイス取付け部２０８内に設けられたマイクロスイッチからなる測定デバイス挿入検知スイッチが作動して、制御部３０６に信号を出力する。測定デバイス挿入検知スイッチからの出力信号により制御部３０６が尿中塩分量測定デバイス７００の挿入を検知すると、制御部３０６は電圧印加部３０２を制御して、第１の端子及び第２の端子を介して、第１の電極１１２及び第２の電極１１４との間に電圧（例えば０．２Ｖ）が印加される。
【０１２８】
次に、使用者が、尿中塩分量測定デバイス７００の第１の試料導入口１３２及び第２の試料導入口７３２に、試料を接触させる。この接触により、第１の試料導入口１３２及び第２の試料導入口７３２を通って尿中塩分量測定デバイス７００の２つの試料収容室内に、試料が毛管現象により吸引され、２つの試料収容室内が試料によって充填される。試料が第１の電極１１２及び第２の電極１１４に接触すると、試料を介して第１の電極１１２及び第２の電極１１４間に電流が流れるようになるため、それに起因する電気信号の変化を電気信号検出部３０４が検出する。
【０１２９】
電気信号検出部３０４からの出力信号により、試料収容室に試料が導入されたことを制御部３０６が検知すると、制御部３０６は電圧印加部３０２を制御して、電圧印加部３０２による印加電圧を異なる電圧（例えば０Ｖまたは開回路）に切り替える。また、試料導入の検知に伴い、制御部３０６がタイマーである計時部３０８による計時を開始させる。
【０１３０】
試料導入の検知に伴い、制御部３０６は定電流交流電源９０２を制御して、第３の端子及び第６の端子を介して、第３の電極７１２及び第６の電極７１８との間に一定の交流電流（例えば、周波数１ｋＨｚ、電流値０．１ｍＡ）を印加する。交流電流の印加から所定時間経過後（例えば５秒後）に、電圧検出器９０４は第４の電極７１４及び第５の電極７１６との間の電圧（交流電流の実効値）を測定する。
【０１３１】
制御部３０６は記憶部３１０に格納されている塩分の濃度と電圧検出器９０４により検出される電圧との相関を表す第２の相関データを読み出し、それを参照することにより電圧検出器９０４により検出された電圧を試料中の塩分濃度に換算する。得られた塩分濃度はディスプレイ２０４に表示される。
【０１３２】
クレアチニン測定用の第１の試料収容室内に露出している試薬層１３０と試料とが接触すると、試薬層１３０に含まれるクレアチニン測定用試薬中の［Ｏｓ（ｂｐｙ）（５，５’−ｄｍｂｐｙ）２］（ＰＦ６）２Ｃｌが試料中に溶解する。［Ｏｓ（ｂｐｙ）（５，５’−ｄｍｂｐｙ）２］（ＰＦ６）２Ｃｌが試料中に溶解することにより生成した［Ｏｓ（ｂｐｙ）（５，５’−ｄｍｂｐｙ）２］３＋が試料中に含まれるクレアチニンと直接反応することにより、クレアチニンの酸化物と［Ｏｓ（ｂｐｙ）（５，５’−ｄｍｂｐｙ）２］２＋とが生成する。
【０１３３】
計時部３０８からの信号によって、所定時間（例えば、６０秒）経過したことを制御部３０６が判断すると、制御部３０６は電圧印加部３０２を制御して、第１の電極１１２及び第２の電極１１４との間に再度異なる電圧を印加する（例えば、第１の電極１１２が第２の電極１１４に比べて＋０．５Ｖとなる電圧）。このように電圧を印加してから一定時間（例えば５秒）後、第１の電極１１２と第２の電極１１４との間で流れる電流等の電気信号を電気信号検出部３０４において測定する。このとき、第１の電極１１２ではオスミウム錯体の還元体が酸化される。電気信号検出部３０４において測定される電気信号は、試料中に含まれるクレアチニン濃度に依存する。
【０１３４】
制御部３０６は記憶部３１０に格納されている電気信号とクレアチニン濃度との相関を表す第１の相関データを読み出し、それを参照することにより電気信号検出部３０４において検出された電気信号を試料中のクレアチニン濃度に換算する。
【０１３５】
次に、制御部３０６は得られたクレアチニン濃度を用いて塩分濃度を補正する。続いて、制御部３０６は記憶部３１０に格納されている１日当たりの尿中塩分排泄量とクレアチニン濃度により補正された塩分濃度との相関を表す第３の検量線に相当する第３の相関データを読み出し、それを参照することにより補正後の塩分濃度を１日当たりの尿中塩分排泄量に換算する。
【０１３６】
得られたクレアチニン濃度及び１日当たりの尿中塩分排泄量はディスプレイ２０４に表示される。ディスプレイ２０４にクレアチニン濃度及び１日当たりの尿中塩分排泄量が表示されることにより、ユーザは測定が完了したことがわかる。得られたクレアチニン濃度及び１日当たりの尿中塩分排泄量は、計時部３０８により計時された時刻とともに記憶部３１０に保存されることが好ましい。
【０１３７】
本実施の形態に係る尿中塩分量測定デバイス７００によれば、従来の測定デバイスと異なり、試料収容室内において、クレアチニンに作用する酵素やピクリン酸がない状態であってもクレアチニンとクレアチニン測定用試薬中の上記オスミウム錯体とが直接反応するので、塩分等のイオン種、尿素、アミノ酸、糖などの妨害成分の影響を受けることなく反応が進行する。そのため、尿や血液などの生体試料を用いた場合であっても、従来の測定デバイスよりも精度良く試料中に含まれるクレアチニンを定量することができる。
【０１３８】
また、本実施の形態に係る尿中塩分量測定装置９００によれば、高い精度で測定されたクレアチニン濃度により補正された塩分濃度に基づいて、１日当たりの尿中塩分排泄量を算出しているので、１日当たりの尿中塩分排泄量を精度良く求めることができる。
【０１３９】
なお、本実施の形態においては、クレアチニン測定用試薬中の有効成分として［Ｏｓ（ｂｐｙ）（５，５’−ｄｍｂｐｙ）２］２＋／３＋を用いる例を示したが、代わりに［Ｏｓ（４，４’−ｄｍｂｐｙ）２（５，５’−ｄｍｂｐｙ）］２＋／３＋または［Ｏｓ（５，５’−ｄｍｂｐｙ）２（ｄｐａ）］２＋／３＋を用いてもよい。クレアチニン測定用試薬中の有効成分として［Ｏｓ（４，４’−ｄｍｂｐｙ）２（５，５’−ｄｍｂｐｙ）］２＋／３＋または［Ｏｓ（５，５’−ｄｍｂｐｙ）２（ｄｐａ）］２＋／３＋を用いる場合にも、塩分等のイオン種、尿素、アミノ酸などの妨害成分の影響を受けることなく、従来の測定デバイスよりも精度良く試料中に含まれるクレアチニンを定量することができる。
【０１４０】
また、本実施の形態では、尿中塩分量測定デバイスが１つの試薬層を備える例を示したこれに限定されない。尿中塩分量測定デバイスが、２つの試薬層、例えばクレアチニン測定用試薬を含む第１の試薬層とリン酸系緩衝剤を含む第２の試薬層とを備えていてもよい。
【０１４１】
また、本実施の形態において、試料収容室に試料が導入されたことを制御部が検知することにより、電圧印加部による印加電圧が異なる電圧に切り替えられる例について示したがこれに限定されない。クレアチニンの濃度に依存した電流が得られる限り、測定に必要な電圧値（ここでは、上述のように、例えば、第１の電極が第２の電極に比べて＋０．５Ｖとなる電圧）をクレアチニン測定デバイスの挿入検知時から印加しておけば、試料検知後もその電圧値を継続して印加してもよい。
【０１４２】
また、本実施の形態では、電気信号を得るための第１の電極への印加電位を第２の電極に対して５００ｍＶとする例を示したが、これに限定されることはない。第１の電極と第２の電極との間の電圧は、クレアチニンとの酸化還元反応により生成した［Ｏｓ（ｂｐｙ）（５，５’−ｄｍｂｐｙ）２］２＋が酸化される電圧であればよい。
【０１４３】
また、本実施の形態においては、試料の検知後、電気信号を検出するまでの時間（反応時間）を６０秒とする例を示したが、必ずしもその値である必要はない。クレアチニン濃度の違いに対する電流値の差を有意に検出できる限り、反応時間は上記より小さい値を用いることができる。一方、反応時間をより大きくした場合、クレアチニンと［Ｏｓ（ｂｐｙ）（５，５’−ｄｍｂｐｙ）２］３＋との反応が完了状態あるいは定常状態に達する可能性が高まるため、温度などの環境条件の影響を受けずにクレアチニンの存在量をより正確に定量しやすくなる。
【０１４４】
また、第１の電極と第２の電極との間に電圧を印加してから５秒後に電気信号を検出する例を示したが、この時間に限定されない。この時間は、クレアチニン濃度の違いに対する電気信号の差を有意に検出できる時間であればよい。
【０１４５】
また、本実施の形態では、記憶部に、クレアチニンの濃度と電気信号検出部３０４により検出される電気信号との相関を表す第１の検量線に相当する第１の相関データ、塩分の濃度と電圧検出器９０４により検出される電圧との相関を表す第２の検量線に相当する第２の相関データ、及び１日当たりの尿中塩分排泄量とクレアチニン濃度により補正された塩分濃度との相関を表す第３の検量線に相当する第３の相関データが格納されている例を示したがこれに限定されない。これに代えて、電気信号検出部により検出される電気信号と電圧検出器により検出される電圧と単位時間当たり（例えば１日）の尿中塩分排泄量との相関を示す相関データが記憶部に格納されていてもよい。この場合は、クレアチニン濃度や塩分濃度を求めなくても、電気信号検出部により検出される電気信号と電圧検出器により検出される電圧とを用いて、単位時間当たりの尿中塩分排泄量を直接求めることができる。
【０１４６】
また、本実施の形態では、電極系、リード／端子の一例を示したが、それらの形状、個数、配置等はこれらに限定されない。
【０１４７】
また、尿中塩分量測定デバイスの試料収容室内への試料の導入をより円滑にするために、レシチンをトルエンまたはその他の有機溶媒に溶解した溶液を、第２の基板及び第３の基板の内壁に塗布して乾燥させることによりレシチン層を形成してもよい。このような構造にすることにより、試料量をより再現性よく一定とすることができるため、より精度良く試料中に含まれるクレアチニン及び塩分を定量することができる。
【０１４８】
また、尿中塩分量測定装置が、測定結果として得られたクレアチニン濃度、塩分濃度及び１日当たりの尿中塩分排泄量をＳＤカードなどの記憶媒体に記録するための記録部をさらに備えていてもよい。取り外し可能な記憶媒体に保存することにより、測定結果を尿中塩分量測定装置から容易に取り出すことができるので、分析関連業者に測定結果の分析を依頼することが容易になる。
【０１４９】
また、尿中塩分量測定装置が、測定結果として得られたクレアチニン濃度、塩分濃度及び１日当たりの尿中塩分排泄量を尿中塩分量測定装置外に送信するための送信部をさらに備えていてもよい。これにより、測定結果を、病院内の分析関連部門または分析関連業者等に送信し、分析関連部門または分析関連業者などにおいて分析することができるので、測定から分析までの時間を短縮することができる。
【０１５０】
また、尿中塩分量測定装置が、分析関連部門または分析関連業者などにおいて分析した結果を受信するための受信部をさらに備えていてもよい。これにより、分析結果を迅速に使用者にフィードバックすることができる。
【実施例】
【０１５１】
（実施例１）
本発明に係るクレアチニン測定方法の効果を確認するために以下の実験を行った。本実施例では、クレアチニン測定用試薬中の有効成分としてｐＨ７、２５℃における酸化還元電位が６００ｍＶ（ｖｓ  Ａｇ／ＡｇＣｌ）のオスミウム錯体である［Ｏｓ（ｂｐｙ）（５，５’−ｄｍｂｐｙ）２］２＋／３＋を用いた。
【０１５２】
まず、４００ｍＭのリン酸水素二カリウム水溶液と４００ｍＭのリン酸二水素カリウム水溶液とを作製した。ｐＨメーターを用いてモニターしながら２つの水溶液を交互に混合することにより、得られる混合水溶液のｐＨを６に調整した。このようにして得られた４００ｍＭのリン酸系緩衝液（ｐＨ＝６）に［Ｏｓ（ｂｐｙ）（５，５’−ｄｍｂｐｙ）２］（ＰＦ６）２を濃度が０．２ｍＭとなるよう溶解した。
【０１５３】
得られたオスミウム錯体水溶液をガラス製のセル容器に入れ、第１の電極として金電極（電極面積２ｍｍ２）、第２の電極として長さ５ｃｍの白金線をコイル状に巻いたもの、第３の電極としてＡｇ／ＡｇＣｌ（飽和ＫＣｌ水溶液）参照極を用い、それぞれ、前記セル容器中の水溶液に浸漬した。これら電極は全て株式会社ビーエーエスより市販されているものを用いた。第１の電極、第２の電極及び第３の電極の接続端子を、ＡＬＳ−６６０Ａ電気化学アナライザーの作用極、対極、参照極の接続端子にそれぞれ順に接続した。
【０１５４】
次に、濃度５００ｍＭのクレアチニン水溶液を前記セル容器中の水溶液に少量添加した。クレアチニン水溶液の添加量は、セル容器中の水溶液に含まれるクレアチニン濃度が所定の値になるよう測定毎に調整した。
【０１５５】
クレアチニンの添加とともに計時を開始し、クレアチニンの添加から１分後に、第３の電極に対し０．８Ｖの電位を第１の電極に印加し、電位印加後５秒後の電流値を測定した。１分毎に本操作をクレアチニンの添加から１０分５秒後まで繰り返した。以上の実験は室温（約２５℃）にて行った。
【０１５６】
セル容器中の水溶液に含まれるクレアチニン濃度が、０、３、９及び２７ｍＭの場合について、それぞれ以上の測定を行った。
【０１５７】
図８は、クレアチニンの添加から１０分５秒後に測定された電流値をクレアチニン濃度に対してプロットしたグラフである。図８において、横軸はセル容器中の水溶液に含まれるクレアチニン濃度（ｍＭ）、縦軸は測定された電流密度（μＡ／ｃｍ２）を示す。図８から明らかなように、得られた電流値はセル容器中の水溶液に含まれるクレアチニン濃度の増加に対して線形的に増加し、電流値とクレアチニン濃度とは高い相関を示した。したがって、本発明に係るクレアチニン測定方法により、得られる電流値に基づいてクレアチニンの定量を行うことが可能であることがわかる。
【０１５８】
以上の結果から、本発明に係るクレアチニン測定方法における反応を次のように説明することができる。
【０１５９】
試料中において、［Ｏｓ（ｂｐｙ）（５，５’−ｄｍｂｐｙ）２］３＋はリン酸系緩衝剤の存在下、クレアチニンと反応して還元され、［Ｏｓ（ｂｐｙ）（５，５’−ｄｍｂｐｙ）２］２＋に変換される。すなわち、クレアチニンは本反応によって［Ｏｓ（ｂｐｙ）（５，５’−ｄｍｂｐｙ）２］３＋に電子を供与し、酸化されている。第１の電極には、［Ｏｓ（ｂｐｙ）（５，５’−ｄｍｂｐｙ）２］２＋より電子を受容するような電位が印加されているため、生成した［Ｏｓ（ｂｐｙ）（５，５’−ｄｍｂｐｙ）２］２＋は第１の電極において電気化学的に酸化される。これに伴い、第１の電極には電流が流れる。一定時間に生成する［Ｏｓ（ｂｐｙ）（５，５’−ｄｍｂｐｙ）２］２＋の濃度はクレアチニンの濃度に依存する。また、［Ｏｓ（ｂｐｙ）（５，５’−ｄｍｂｐｙ）２］２＋の酸化電流は試料中に存在する［Ｏｓ（ｂｐｙ）（５，５’−ｄｍｂｐｙ）２］２＋の濃度に依存するので、得られる電流値はクレアチニンの濃度に依存する。
【０１６０】
（実施例２）
本実施例では、クレアチニン測定用試薬中の有効成分としてｐＨ７、２５℃における酸化還元電位が５００ｍＶ（ｖｓ  Ａｇ／ＡｇＣｌ）のオスミウム錯体である［Ｏｓ（４，４’−ｄｍｂｐｙ）２（５，５’−ｄｍｂｐｙ）］２＋／３＋を用いた。
【０１６１】
まず、実施例１と同様の手順により、４００ｍＭのリン酸系緩衝液（ｐＨ＝６）を調整した。得られた４００ｍＭのリン酸系緩衝液（ｐＨ＝６）に［Ｏｓ（４，４’−ｄｍｂｐｙ）２（５，５’−ｄｍｂｐｙ）］（ＰＦ６）２を濃度が０．０５ｍＭとなるよう溶解させた。測定に用いた装置構成は実施例１と同じであるため説明を省略する。
【０１６２】
得られたオスミウム錯体水溶液をガラス製のセル容器に入れ、濃度５００ｍＭのクレアチニン水溶液を前記セル容器中の水溶液に添加することにより、オスミウム錯体水溶液中のクレアチニン濃度が８０ｍＭになるよう調整した。
【０１６３】
オスミウム錯体水溶液にクレアチニン水溶液を添加する前後に、電気化学アナライザーを用いてサイクリックボルタモグラムを測定した。第１の電極に印加する電位を第３の電極に対して０．３５Ｖから０．６５Ｖの範囲において、１ｍV／秒の速度で掃引した。
【０１６４】
図９に測定結果（サイクリックボルタモグラム）を示す。図９において、線Ａがクレアチニン水溶液の添加前に測定されたオスミウム錯体水溶液のサイクリックボルタモグラム、線Ｂがクレアチニン水溶液の添加後に測定されたオスミウム錯体水溶液のサイクリックボルタモグラムを示す。
【０１６５】
クレアチニンが存在しない場合、０．５V付近を酸化還元電位とする［Ｏｓ（４，４’−ｄｍｂｐｙ）２（５，５’−ｄｍｂｐｙ）］２＋／３＋の第１の電極上での酸化還元反応が見られた。クレアチニンを添加することにより、０．５５Vよりポジティブな電位での電流が有意に増加した。以上の結果は、クレアチニンが［Ｏｓ（４，４’−ｄｍｂｐｙ）２（５，５’−ｄｍｂｐｙ）］３＋により酸化され、生成した［Ｏｓ（４，４’−ｄｍｂｐｙ）２（５，５’−ｄｍｂｐｙ）］２＋が第１の電極で酸化されていることを示唆している。すなわち、クレアチニンの電気化学的な触媒酸化反応が［Ｏｓ（４，４’−ｄｍｂｐｙ）２（５，５’−ｄｍｂｐｙ）］２＋／３＋を通して進行していることがわかった。
【０１６６】
（実施例３）
本実施例では、クレアチニン測定用試薬中の有効成分としてｐＨ７、２５℃における酸化還元電位が３８０ｍＶ（ｖｓ  Ａｇ／ＡｇＣｌ）のオスミウム錯体である［Ｏｓ（５，５’−ｄｍｂｐｙ）２（ｄｐａ）］２＋／３＋を用いた。
【０１６７】
まず、実施例１と同様の手順により、４００ｍＭのリン酸系緩衝液（ｐＨ＝６）を調整した。得られた４００ｍＭのリン酸系緩衝液（ｐＨ＝６）に［Ｏｓ（５，５’−ｄｍｂｐｙ）２（ｄｐａ）］（ＰＦ６）２を濃度が０．０５ｍＭとなるよう溶解させた。測定に用いた装置構成は実施例１と同じであるため説明を省略する。
【０１６８】
得られたオスミウム錯体水溶液をガラス製のセル容器に入れ、濃度５００ｍＭのクレアチニン水溶液を前記セル容器中の水溶液に添加することにより、オスミウム錯体水溶液中のクレアチニン濃度が８０ｍＭになるよう調整した。
【０１６９】
オスミウム錯体水溶液にクレアチニン水溶液を添加する前後に、電気化学アナライザーを用いてサイクリックボルタモグラムを測定した。第１の電極に印加する電位を第３の電極に対して０．３Ｖから０．６Ｖの範囲において、１ｍV／秒の速度で掃引した。
【０１７０】
図１０に測定結果（サイクリックボルタモグラム）を示す。図１０において、線Ａがクレアチニン水溶液の添加前に測定されたオスミウム錯体水溶液のサイクリックボルタモグラム、線Ｂがクレアチニン水溶液の添加後に測定されたオスミウム錯体水溶液のサイクリックボルタモグラムを示す。
【０１７１】
クレアチニンが存在しない場合、［Ｏｓ（５，５’−ｄｍｂｐｙ）２（ｄｐａ）］２＋／３＋の第１の電極上での酸化還元反応が見られた。クレアチニンを添加することにより、０．４５Vよりポジティブな電位での電流が有意に増加した。以上の結果は、クレアチニンが［Ｏｓ（５，５’−ｄｍｂｐｙ）２（ｄｐａ）］３＋により酸化され、生成した［Ｏｓ（５，５’−ｄｍｂｐｙ）２（ｄｐａ）］２＋が第１の電極で酸化されていることを示唆している。すなわち、クレアチニンの電気化学的な触媒酸化反応が［Ｏｓ（５，５’−ｄｍｂｐｙ）２（ｄｐａ）］２＋／３＋を通して進行していることがわかった。
【０１７２】
（比較例１）
次に比較例１として、ｐＨ７、２５℃における酸化還元電位が２００ｍＶ（ｖｓ  Ａｇ／ＡｇＣｌ）のオスミウム錯体である［Ｏｓ（４ｍ−Ｉｍ）２（５，５’−ｄｍｂｐｙ）２］２＋／３＋を用いて、実施例２及び３と同様の実験を行った。
【０１７３】
まず、実施例１と同様の手順により、４００ｍＭのリン酸系緩衝液（ｐＨ＝６）を調整した。得られた４００ｍＭのリン酸系緩衝液（ｐＨ＝６）に［Ｏｓ（４ｍ−Ｉｍ）２（５，５’−ｄｍｂｐｙ）２］（ＰＦ６）２を濃度が０．１ｍＭとなるよう溶解させた。測定に用いた装置構成は実施例１と同じであるため説明を省略する。
【０１７４】
得られたオスミウム錯体水溶液をガラス製のセル容器に入れ、濃度５００ｍＭのクレアチニン水溶液を前記セル容器中の水溶液に添加することにより、オスミウム錯体水溶液中のクレアチニン濃度が８０ｍＭになるよう調整した。
【０１７５】
オスミウム錯体水溶液にクレアチニン水溶液を添加する前後に、電気化学アナライザーを用いてサイクリックボルタモグラムを測定した。第１の電極に印加する電位を第３の電極に対して０．０８Ｖから０．３８Ｖの範囲において、１ｍV／秒の速度で掃引した。
【０１７６】
図１１に測定結果（サイクリックボルタモグラム）を示す。図１１において、線Ａがクレアチニン水溶液の添加前に測定されたオスミウム錯体水溶液のサイクリックボルタモグラム、線Ｂがクレアチニン水溶液の添加後に測定されたオスミウム錯体水溶液のサイクリックボルタモグラムを示す。
【０１７７】
クレアチニンが存在しない場合、０．２２V付近を酸化還元電位とする［Ｏｓ（４ｍ−Ｉｍ）２（５，５’−ｄｍｂｐｙ）２］２＋／３＋の第１の電極上での酸化還元反応が見られた。しかし、実施例２及び３とは異なり、クレアチニンを添加することによる電流の増加はみられなかった。以上の結果は、ｐＨ７、２５℃における酸化還元電位が２００ｍＶ（ｖｓ  Ａｇ／ＡｇＣｌ）のオスミウム錯体である［Ｏｓ（４ｍ−Ｉｍ）２（５，５’−ｄｍｂｐｙ）２］２＋／３＋はクレアチニンと反応していないことを示している。
【０１７８】
（比較例２）
次に比較例２として、ｐＨ７、２５℃における酸化還元電位が１２３ｍＶ（ｖｓ  Ａｇ／ＡｇＣｌ）のオスミウム錯体である［Ｏｓ（４ｍ−Ｉｍ）２（４，４’−ｄｍｂｐｙ）２］を用いて、実施例２及び３と同様の実験を行った。
【０１７９】
まず、実施例１と同様の手順により、４００ｍＭのリン酸系緩衝液（ｐＨ＝６）を調整した。得られた４００ｍＭのリン酸系緩衝液（ｐＨ＝６）に［Ｏｓ（４ｍ−Ｉｍ）２（４，４’−ｄｍｂｐｙ）２］（ＰＦ６）２を濃度が０．１ｍＭとなるよう溶解させた。測定に用いた装置構成は実施例１と同じであるため説明を省略する。
【０１８０】
得られたオスミウム錯体水溶液をガラス製のセル容器に入れ、濃度５００ｍＭのクレアチニン水溶液を前記セル容器中の水溶液に添加することにより、オスミウム錯体水溶液中のクレアチニン濃度が８０ｍＭになるよう調整した。
【０１８１】
オスミウム錯体水溶液にクレアチニン水溶液を添加する前後に、電気化学アナライザーを用いてサイクリックボルタモグラムを測定した。第１の電極に印加する電位を第３の電極に対して０Ｖから０．３Ｖの範囲において、１ｍV／秒の速度で掃引した。
【０１８２】
図１２に測定結果（サイクリックボルタモグラム）を示す。図１２において、線Ａがクレアチニン水溶液の添加前に測定されたオスミウム錯体水溶液のサイクリックボルタモグラム、線Ｂがクレアチニン水溶液の添加後に測定されたオスミウム錯体水溶液のサイクリックボルタモグラムを示す。
【０１８３】
クレアチニンが存在しない場合、０．１５V付近を酸化還元電位とする［Ｏｓ（４ｍ−Ｉｍ）２（４，４’−ｄｍｂｐｙ）２］２＋／３＋の第１の電極上での酸化還元反応が見られた。しかし、実施例２及び３とは異なり、クレアチニンを添加することによる電流の増加はみられなかった。以上の結果は、ｐＨ７、２５℃における酸化還元電位が１２３ｍＶ（ｖｓ  Ａｇ／ＡｇＣｌ）のオスミウム錯体である［Ｏｓ（４ｍ−Ｉｍ）２（４，４’−ｄｍｂｐｙ）２］２＋／３＋はクレアチニンと反応していないことを示している。
【０１８４】
実施例２及び３並びに比較例１及び２の結果から、ｐＨ７、２５℃における酸化還元電位が３８０ｍＶ（ｖｓ  Ａｇ／ＡｇＣｌ）よりも正のオスミウム錯体が、クレアチニンと良好に反応することがわかった。
【産業上の利用可能性】
【０１８５】
本発明は、試料、特に尿などの生体試料中に含まれるクレアチニンを定量する際に有用である。
【図面の簡単な説明】
【０１８６】
【図１】本発明の一実施の形態におけるクレアチニン測定デバイスの構成を示す分解斜視図
【図２】同実施の形態におけるクレアチニン測定装置の外観を示す斜視図
【図３】同クレアチニン測定装置の構成を示すブロック図
【図４】本発明の他の実施の形態における尿中塩分量測定デバイスを第１の基板の第１の面側からみた構成を示す分解斜視図
【図５】同尿中塩分量測定デバイスを第１の基板の第２の面側からみた構成を示す分解斜視図
【図６】同実施の形態における尿中塩分量測定装置の外観を示す斜視図
【図７】同尿中塩分量測定装置の構成を示すブロック図
【図８】本発明の一実施例における試料中のクレアチニン濃度と測定された電流値との関係を示すグラフ
【図９】本発明の他の実施例において第１の電極に印加された電位と測定された電流値との関係を示すグラフ
【図１０】本発明のさらに他の実施例において第１の電極に印加された電位と測定された電流値との関係を示すグラフ
【図１１】本発明の一比較例において第１の電極に印加された電位と測定された電流値との関係を示すグラフ
【図１２】本発明の他の比較例において第１の電極に印加された電位と測定された電流値との関係を示すグラフ
【符号の説明】
【０１８７】
１００    クレアチニン測定デバイス
１０２    第１の基板
１０４    第２の基板
１０６    スペーサ（第１のスペーサ）
１０８，７０８    空気孔
１１０，７１０    スリット
１１２    第１の電極
１１４    第２の電極
１２２    第１のリード
１２４    第２のリード
１３０    試薬層
１３２    試料導入口（第１の試料導入口）
２００    クレアチニン測定装置
２０２    筐体
２０４    ディスプレイ
２０６    測定開始ボタン
２０８    測定デバイス取付け部
３０２    電圧印加部
３０４    電気信号検出部
３０６    制御部
３０８    計時部
３１０    記憶部
７００    尿中塩分量測定デバイス
７０２    第１の面
７０４    第３の基板
７０６    第２のスペーサ
７１２    第３の電極
７１４    第４の電極
７１６    第５の電極
７１８    第６の電極
７２２    第３のリード
７２４    第４のリード
７２６    第５のリード
７２８    第６のリード
７３２    第２の試料導入口
８０２    第２の面
９００    尿中塩分量測定装置
９０２    定電流交流電源
９０４    電圧検出器
【図１】
2010008182.tif 000006
【図２】
2010008182.tif 000007
【図３】
2010008182.tif 000008
【図４】
2010008182.tif 000009
【図５】
2010008182.tif 000010
【図６】
2010008182.tif 000011
【図７】
2010008182.tif 000012
【図８】
2010008182.tif 000013
【図９】
2010008182.tif 000014
【図１０】
2010008182.tif 000015
【図１１】
2010008182.tif 000016
【図１２】
2010008182.tif 000017